(57)【特許請求の範囲】
【請求項１】
給電装置から磁界または電界を用いた送電による第１の電力を、受電コイルを用いて受け取る受電部と、
外部電源から有線接続により供給される第２の電力を入力する電力入力部と、
前記受電部から供給される第１の電力と、前記電力入力部から供給される第２の電力とのうちのいずれか一方を出力する切替部と、
２次電池と、
前記切替部から出力された電力に基づいて、前記２次電池への充電を行う充電部と、
前記受電部と前記切替部との間に配設された電源回路と
を備え、
前記切替部は、
前記第１の電力のみが供給された場合には、前記第１の電力を出力し、
前記第２の電力のみが供給された場合には、前記第２の電力を出力し、
前記第１および第２の電力の双方が供給された場合には、前記第２の電力を優先的に選択して出力すると共に、
少なくとも前記第２の電力が供給された場合には、前記電源回路の動作を無効化するようにし、
前記給電装置と前記受電部との間における前記受電コイルを用いた通信動作が、前記第１の電力が供給される場合に加えて、前記第２の電力のみが供給されて前記電源回路の動作が無効化された場合においても行われる
電子機器。
【請求項２】
前記第２の電力のみが供給されている場合に、前記受電コイルを用いた通信動作によって、前記第２の電力に基づく前記２次電池への充電動作の停止が検知される
請求項１に記載の電子機器。
【請求項３】
前記切替部の動作を動的に制御する切替制御部を備えた
請求項１または請求項２に記載の電子機器。
【請求項４】
前記切替制御部は、
前記切替部に対して前記第１および第２の電力の双方が供給された場合には、
所定のパラメータに基づいて、前記第１および第２の電力のうちの一方が選択されて出力されるように、前記切替部の動作を制御する機能を有する
請求項３に記載の電子機器。
【請求項５】
前記所定のパラメータが、前記２次電池への充電の際の電力効率、または、電力量である
請求項４に記載の電子機器。
【請求項６】
１または複数の電子機器と、
前記電子機器に対して磁界または電界を用いた送電を行う給電装置と
を備え、
前記電子機器は、
前記送電による第１の電力を、受電コイルを用いて受け取る受電部と、
外部電源から有線接続により供給される第２の電力を入力する電力入力部と、
前記受電部から供給される第１の電力と、前記電力入力部から供給される第２の電力とのうちのいずれか一方を出力する切替部と、
２次電池と、
前記切替部から出力された電力に基づいて、前記２次電池への充電を行う充電部と、
前記受電部と前記切替部との間に配設された電源回路と
を有し、
前記切替部は、
前記第１の電力のみが供給された場合には、前記第１の電力を出力し、
前記第２の電力のみが供給された場合には、前記第２の電力を出力し、
前記第１および第２の電力の双方が供給された場合には、前記第２の電力を優先的に選択して出力すると共に、
少なくとも前記第２の電力が供給された場合には、前記電源回路の動作を無効化するようにし、
前記給電装置と前記受電部との間における前記受電コイルを用いた通信動作が、前記第１の電力が供給される場合に加えて、前記第２の電力のみが供給されて前記電源回路の動作が無効化された場合においても行われる
給電システム。
【発明の詳細な説明】
【技術分野】
【０００１】
本開示は、電子機器等の給電対象機器に対して非接触に電力供給（送電，電力伝送）を行う給電システム、およびそのような給電システムに適用される電子機器に関する。
【背景技術】
【０００２】
近年、例えば携帯電話機や携帯音楽プレーヤー等のＣＥ機器（Consumer Electronics Device：民生用電子機器）に対し、非接触に電力供給（送電，電力伝送）を行う給電システム（非接触給電システム、ワイヤレス充電システム）が注目を集めている。これにより、ＡＣアダプタのような電源装置のコネクタを機器に挿す（接続する）ことによって充電を開始するのはなく、電子機器（２次側機器）を充電トレー（１次側機器）上に置くだけで充電を開始することができる。すなわち、電子機器と充電トレーと間での端子接続が不要となる。
【０００３】
このようにして非接触で電力供給を行う方式としては、電磁誘導方式が良く知られている。また、最近では、電磁共鳴現象を利用した磁界共鳴方式と呼ばれる方式を用いた非接触給電システムが注目されている。このような非接触による給電システムは、例えば特許文献１〜６等に開示されている。
【先行技術文献】
【特許文献】
【０００４】
【特許文献１】特開２００１−１０２９７４号公報
【特許文献２】ＷＯ００−２７５３１号公報
【特許文献３】特開２００８−２０６２３３号公報
【特許文献４】特開２００２−３４１６９号公報
【特許文献５】特開２００５−１１０３９９号公報
【特許文献６】特開２０１０−６３２４５号公報
【発明の概要】
【発明が解決しようとする課題】
【０００５】
ところで、上記のような非接触による給電システムでは、例えば充電の際の手法を改善するなどして、ユーザの利便性を向上させることが求められる。
【０００６】
本開示はかかる問題点に鑑みてなされたもので、その目的は、給電動作を行う際に、ユーザの利便性を向上させることが可能な給電装置、給電システムおよび電子機器を提供することにある。
【課題を解決するための手段】
【０００７】
本開示の電子機器は、給電装置から磁界または電界を用いた送電による第１の電力を受電コイルを用いて受け取る受電部と、外部電源から有線接続により供給される第２の電力を入力する電力入力部と、受電部から供給される第１の電力と電力入力部から供給される第２の電力とのうちのいずれか一方を出力する切替部と、２次電池と、切替部から出力された電力に基づいて２次電池への充電を行う充電部と、受電部と切替部との間に配設された電源回路とを備えたものである。切替部は、第１の電力のみが供給された場合にはこの第１の電力を出力し、第２の電力のみが供給された場合にはこの第２の電力を出力し、第１および第２の電力の双方が供給された場合には第２の電力を優先的に選択して出力すると共に、少なくとも第２の電力が供給された場合には電源回路の動作を無効化する。また、給電装置と受電部との間における受電コイルを用いた通信動作が、第１の電力が供給される場合に加えて、第２の電力のみが供給されて電源回路の動作が無効化された場合においても行われる。
【０００８】
本開示の給電システムは、１または複数の上記本開示の電子機器（給電対象機器）と、この電子機器に対して磁界または電界を用いた送電を行う給電装置とを備えたものである。
【０００９】
本開示の電子機器および給電システムでは、給電装置からの磁界または電界を用いた送電による第１の電力と、外部電源からの有線接続による第２の電力とのうちのいずれか一方が切替部から出力され、この出力された電力に基づいて２次電池への充電が行われる。すなわち、磁界または電界を用いた送電による電力（第１の電力）と有線接続により供給された電力（第２の電力）とのうちの一方を選択的に利用した、自由度の高い充電動作が実現される。
【発明の効果】
【００１０】
本開示の電子機器および給電システムによれば、給電装置からの磁界または電界を用いた送電による第１の電力と外部電源からの有線接続による第２の電力とのうちのいずれか一方を切替部から出力し、この出力された電力に基づいて２次電池への充電が行われるようにしたので、自由度の高い充電動作を実現することができる。よって、給電動作を行う際に、ユーザの利便性を向上させることが可能となる。
【図面の簡単な説明】
【００１１】
【図１】本開示の一実施の形態に係る給電システムの外観構成例を表す斜視図である。
【図２】図１に示した給電システムの詳細構成例を表すブロック図である。
【図３】図２に示した各ブロックの詳細構成例を表す回路図である。
【図４】交流信号発生回路に対する制御信号の一例を表すタイミング波形図である。
【図５】給電期間および通信期間の一例を表すタイミング図である。
【図６】図３に示した給電システムにおける入力切替動作の一例を表す回路図である。
【図７】図３に示した給電システムにおける入力切替動作の他の例を表す回路図である。
【図８】図３に示した給電システムにおける入力切替動作の他の例を表す回路図である。
【図９】変形例１に係る給電システムの構成および入力切替動作の一例を表す回路図である。
【図１０】変形例２に係る給電システムの構成および入力切替動作の一例を表す回路図である。
【図１１】変形例２に係る給電システムの構成および入力切替動作の他の例を表す回路図である。
【図１２】その他の変形例に係る給電システムの概略構成例を表すブロック図である。
【図１３】図１２に示した給電システムにおける電界の伝播態様例を表す模式図である。
【発明を実施するための形態】
【００１２】
以下、本開示の実施の形態について、図面を参照して詳細に説明する。なお、説明は以下の順序で行う。
１．実施の形態（有線接続により供給された電力を優先的に入力する入力切替回路の例）
２．変形例
変形例１（磁界を用いた送電による電力を優先的に入力する入力切替回路の例）
変形例２（制御部によって入力切替回路の動作を動的に制御する例）
３．その他の変形例（電界を用いて非接触に電力伝送を行う給電システムの例等）
【００１３】
＜実施の形態＞
［給電システム４の全体構成］
図１は、本開示の一実施の形態に係る給電システム（給電システム４）の外観構成例を表したものであり、図２は、この給電システム４のブロック構成例を表したものである。給電システム４は、磁界を用いて（磁気共鳴や電磁誘導等を利用して；以下同様）、非接触に電力伝送（電力供給，給電，送電）を行うことが可能なシステム（非接触型の給電システム）である。また、この給電システム４では、後述する有線式のコード（電源コード９０）を用いて、有線接続による電力供給を行うことも可能となっている。給電システム４は、給電装置１（１次側機器）と、給電対象機器としての１または複数の電子機器（ここでは２つの電子機器２Ａ，２Ｂ；２次側機器）とを備えている。
【００１４】
この給電システム４では、例えば図１に示したように、給電装置１における給電面（送電面）Ｓ１上に電子機器２Ａ，２Ｂが置かれる（または近接する）ことにより、給電装置１から電子機器２Ａ，２Ｂに対して電力伝送が行われるようになっている。すなわち、例えば図２に示したように、上記した磁界を用いた送電による電力（送電電力）Ｐ１（第１の電力）が、給電装置１から電子機器２Ａ，２Ｂへと供給可能となっている。ここでは、複数の電子機器２Ａ，２Ｂに対して同時もしくは時分割的（順次）に電力伝送を行う場合を考慮して、給電装置１は、給電面Ｓ１の面積が給電対象の電子機器２Ａ，２Ｂ等よりも大きなマット形状（トレー状）となっている。
【００１５】
この給電システム４ではまた、例えば図２に示したように、上記した電源コード９０を用いた有線接続による電力Ｐ２（第２の電力）が、外部電源９（親電源）から電子機器２Ａ，２Ｂへと供給可能となっている。なお、この外部電源９としては、例えば、ＰＣ（Personal Computer）などに設けられているＵＳＢ（Universal Serial Bus）２．０の電源（電力供給能力：５００ｍＡ，電源電圧：５Ｖ程度）等が挙げられる。
【００１６】
（給電装置１）
給電装置１は、上記したように、磁界を用いて電子機器２Ａ，２Ｂに対して電力伝送（送電）を行うもの（充電トレー）である。この給電装置１は、例えば図２に示したように、送電部１１０、交流信号発生回路（高周波電力発生回路）１１１および制御部１１２を有する送電装置１１を備えている。
【００１７】
送電部１１０は、後述する送電コイル（１次側コイル）Ｌ１およびコンデンサＣ１ｐ，Ｃ１ｓ（共振用のコンデンサ）等を含んで構成されている。送電部１１０は、これらの送電コイルＬ１およびコンデンサＣ１ｐ，Ｃ１ｓを利用して、電子機器２Ａ，２Ｂ（詳細には、後述する受電部２１０Ａ）に対して交流磁界を用いた電力伝送（送電）を行うものである（図２中の矢印で示した電力Ｐ１参照）。具体的には、送電部１１０は、給電面Ｓ１から電子機器２Ａ，２Ｂへ向けて磁界（磁束）を放射する機能を有している。この送電部１１０はまた、後述する受電部２１０Ａとの間で所定の通信動作を相互に行う機能を有している（図２中の矢印Ｃ１参照）。
【００１８】
交流信号発生回路１１１は、前述した外部電源９から供給される電力を用いて、送電を行うための所定の交流信号Ｓac（高周波電力）を発生する回路である。このような交流信号発生回路１１１は、例えば、後述するスイッチングアンプを用いて構成されている。
【００１９】
制御部１１２は、給電装置１全体（給電システム４全体）における種々の制御動作を行うものである。具体的には、送電部１１０による送電（送電動作）や通信（通信動作）の制御を行うことの他、例えば、送電電力の最適化制御や２次側機器を認証する機能、２次側機器が１次側機器上にあることを判別する機能、異種金属などの混入を検知する機能などを有している。ここで、上記した送電制御の際には、後述する所定の制御信号ＣＴＬ（送電用の制御信号）を用いて交流信号発生回路１１１の動作を制御することによって行うようになっている。また、この制御部１１２は、制御信号ＣＴＬを用いて、後述するパルス幅変調（ＰＷＭ：Pulse Width Modulation）による変調処理を行う機能も有している。
【００２０】
（電子機器２Ａ，２Ｂ）
電子機器２Ａ，２Ｂは、例えば、テレビ受像機に代表される据え置き型電子機器や、携帯電話やデジタルカメラに代表される、充電池（バッテリー）を含む携帯型の電子機器等からなる。これらの電子機器２Ａ，２Ｂは、例えば図２に示したように、受電装置２１と、この受電装置２１から供給される電力に基づいて所定の動作（電子機器としての機能を発揮させる動作）を行う負荷２２とを備えている。また、受電装置２１は、受電部２１０Ａ、電力入力部２１０Ｂ、整流回路２１１、電圧安定化回路２１２（電源回路）、充電回路２１３（充電部）、バッテリー２１４（２次電池）、入力切替回路２１５（切替部）および制御部２１６を有している。
【００２１】
受電部２１０Ａは、後述する受電コイル（２次側コイル）Ｌ２およびコンデンサＣ２ｐ，Ｃ２ｓ（共振用のコンデンサ）等を含んで構成されている。受電部２１０Ａは、これらの受電コイルＬ２およびコンデンサＣ２ｐ，Ｃ２ｓ等を利用して、給電装置１内の送電部１１０から伝送（送電）された電力Ｐ１を受け取る機能を有している。この受電部２１０Ａはまた、送電部１１０との間で前述した所定の通信動作を相互に行う機能を有している（図２中の矢印Ｃ１参照）。
【００２２】
電力入力部２１０Ｂは、前述した外部電源９から電源コード９０を介して有線接続により供給された電力Ｐ２を入力する部分（電力入力端子）である。この電力入力部２１０Ｂは、例えば外部電源９が前述したＵＳＢの電源である場合、ＵＳＢコネクタ等からなる。
【００２３】
整流回路２１１は、受電部２１０Ａから供給された電力（交流電力）を整流し、直流電力（電力Ｐ１０）を生成する回路である。
【００２４】
電圧安定化回路２１２は、整流回路２１１から供給される直流電力（電力Ｐ１０）に基づいて所定の電圧安定化動作を行い、電圧安定化後の直流電力（電力Ｐ１１）を生成する回路である。この電圧安定化回路２１２は、ここでは、受電部２１０Ａと入力切替回路２１５との間（具体的には、整流回路２１１と入力切替回路２１５との間）の経路上に配置されている。
【００２５】
入力切替回路２１５は、受電部２１０Ａから供給される電力Ｐ１（磁界を用いた送電による電力Ｐ１）と、電力入力部２１０Ｂから供給される電力Ｐ２（有線接続により供給された電力Ｐ２）と、のうちのいずれか一方を出力する回路である。詳細には、電力Ｐ１に基づいて得られる電力Ｐ１１（電力Ｐ１０）と、電力Ｐ２に基づいて電力入力部２１０Ｂから供給される電力Ｐ２１とのうちの一方を選択し、電力Ｐ３として充電回路２１３へ出力する回路である。より具体的には、この入力切替回路２１５は、電力Ｐ１のみが電子機器２Ａ，２Ｂへ供給された場合には、この電力Ｐ１に基づく電力Ｐ１１を電力Ｐ３として出力し、電力Ｐ２のみが電子機器２Ａ，２Ｂへ供給された場合には、この電力Ｐ２に基づく電力Ｐ２１を電力Ｐ３として出力する。また、これら電力Ｐ１，Ｐ２の双方が電子機器２Ａ，２Ｂへ供給された場合には、電力Ｐ１，Ｐ２のうちの一方を選択して出力する。
【００２６】
特に本実施の形態の入力切替回路２１５では、電力Ｐ１，Ｐ２の双方が電子機器２Ａ，２Ｂへ供給された場合には、詳細は後述するが、有線接続による電力Ｐ２を優先的に選択して出力するようになっている。また、入力切替回路２１５は、少なくとも電力Ｐ２が供給された場合（電力Ｐ２のみが供給された場合、および電力Ｐ１，Ｐ２の双方が供給された場合）には、後述するように、電圧安定化回路２１２の動作を無効化する機能も有している。なお、この入力切替回路２１５の詳細構成については、後述する（図３）。
【００２７】
充電回路２１３は、入力切替回路２１５から出力される上記電力Ｐ３に基づいて、バッテリー２１４への充電を行うための回路である。この充電回路２１３は、ここでは入力切替回路２１５と負荷２２との間に配置されている。
【００２８】
バッテリー２１４は、充電回路２１３による充電に応じて電力を貯蔵するものであり、例えばリチウムイオン電池等の充電池（２次電池）を用いて構成されている。
【００２９】
制御部２１６は、電子機器２Ａ，２Ｂ全体（給電システム４全体）における種々の制御動作を行うものである。具体的には、例えば、受電部１１０による受電や通信の制御を行ったり、電圧安定化回路２１２や充電回路２１３等の動作を制御する機能も有している。
【００３０】
［給電装置１および電子機器２Ａ，２Ｂの詳細構成］
図３は、図２に示した給電装置１および電子機器２Ａ，２Ｂ内の各ブロックの詳細構成例を回路図で表したものである。
【００３１】
（送電部１１０）
送電部１１０は、磁界を用いて電力伝送を行う（磁束を発生させる）ための送電コイルＬ１と、この送電コイルＬ１とともにＬＣ共振回路を形成するためのコンデンサＣ１ｐ，Ｃ１ｓとを有している。コンデンサＣ１ｓは、送電コイルＬ１に対して電気的に直列接続されている。つまり、コンデンサＣ１ｓの一端と送電コイルＬ１の一端とが、互いに接続されている。また、このコンデンサＣ１ｓの他端と送電コイルＬ１の他端とがコンデンサＣ１ｐに並列接続され、送電コイルＬ１とコンデンサＣ１ｐとの接続端は接地されている。
【００３２】
これらの送電コイルＬ１とコンデンサＣ１ｐ，Ｃ１ｓとからなるＬＣ共振回路と、後述する受電コイルＬ２とコンデンサＣ２ｐ，Ｃ２ｓとからなるＬＣ共振回路とは、互いに磁気結合する。これにより、後述する交流信号発生回路１１１により生成された高周波電力（交流信号Ｓac）と略同一の共振周波数によるＬＣ共振動作がなされるようになっている。
【００３３】
（交流信号発生回路１１１）
交流信号発生回路１１１は、スイッチング素子としての１つのトランジスタ（図示せず）を有するスイッチングアンプ（いわゆるＥ級アンプ）を用いて構成されている。この交流信号発生回路１１１には、制御部１１２から送電用の制御信号ＣＴＬが供給されるようになっている。この制御信号ＣＴＬは、図３中に示したように、所定のデューティ比を有するパルス信号からなる。また、例えば図４（Ａ），（Ｂ）に示したように、この制御信号ＣＴＬにおけるデューティ比を制御することにより、後述するパルス幅変調がなされるようになっている。
【００３４】
このような構成により交流信号発生回路１１１では、送電用の制御信号ＣＴＬに従って、上記したトランジスタがオン・オフ動作（所定の周波数およびデューティ比からなるスイッチング動作）を行う。すなわち、制御部１１２から供給される制御信号ＣＴＬを用いて、スイッチング素子としてのトランジスタのオン・オフ動作が制御される。これにより、例えば外部電源９側から入力する直流信号Ｓdcに基づいて交流信号Ｓac（交流電力）が生成され、送電部１１０へ供給されるようになっている。
【００３５】
（受電部２１０Ａ）
受電部２１０Ａは、送電部１１０から伝送された（磁束から）電力Ｐ１を受け取るための受電コイルＬ２と、この受電コイルＬ２とともにＬＣ共振回路を形成するためのコンデンサＣ２ｐ，Ｃ２ｓとを有している。コンデンサＣ２ｐは、受電コイルＬ２に対して電気的に並列接続され、コンデンサＣ２ｓは、受電コイルＬ２に対して電気的に直列接続されている。すなわち、コンデンサＣ２ｓの一端は、コンデンサＣ２ｐの一端および受電コイルＬ２の一端に接続されている。また、コンデンサＣ２ｓの他端は、整流回路２１１における一方の入力端子に接続され、受電コイルＬ２の他端およびコンデンサＣ２ｐの他端はそれぞれ、整流回路２１１における他方の入力端子に接続されている。
【００３６】
これらの受電コイルＬ２とコンデンサＣ２ｐ，Ｃ２ｓとからなるＬＣ共振回路と、前述した送電コイルＬ１とコンデンサＣ１ｐ，Ｃ１ｓとからなるＬＣ共振回路とは、互いに磁気結合する。これにより、交流信号発生回路１１１により生成された高周波電力（交流信号Ｓac）と略同一の共振周波数によるＬＣ共振動作がなされるようになっている。
【００３７】
（整流回路２１１）
整流回路２１１は、ここでは４つの整流素子（ダイオード）Ｄ１〜Ｄ４を用いて構成されている。具体的には、整流素子Ｄ１のアノードおよび整流素子Ｄ３のカソードは、互いに整流回路２１１における一方の入力端子に接続され、整流素子Ｄ１のカソードおよび整流素子Ｄ２のカソードは、互いに整流回路２１１における出力端子に接続されている。また、整流素子Ｄ２のアノードおよび整流素子Ｄ４のカソードは、互いに整流回路２１１における他方の入力端子に接続され、整流素子Ｄ３のアノードおよび整流素子Ｄ４のアノードは、互いに接地されている。このような構成により整流回路２１１では、受電部２１０Ａから供給された交流電力を整流し、直流電力からなる受電電力を電圧安定化回路２１２へ供給するようになっている。
【００３８】
（入力切替回路２１５）
入力切替回路２１５は、ここでは、スイッチング素子としての２つのトランジスタＴｒ１，Ｔｒ２と、１つのインバータ回路（論理否定回路）ＩＮＶとを用いて構成されている。これらのトランジスタＴｒ１，Ｔｒ２はそれぞれ、ここでは一例として、Ｐ型のＭＯＳＦＥＴ（Metal-Oxide-Semiconductor Field-Effect Transistor）からなる。
【００３９】
トランジスタＴｒ１は、電圧安定化回路２１２と充電回路２１３との間の接続ライン（接続経路）Ｌ１１上に配設されており、トランジスタＴｒ２は、電力入力部２１０Ｂと充電回路２１３との間の接続ラインＬ２１上に配設されている。具体的には、トランジスタＴｒ１のゲートはトランジスタＴｒ２のソースに接続され、トランジスタＴｒ１のソースは電圧安定化回路２１２の出力端子に接続され、トランジスタＴｒ１のドレインは充電回路２１３の入力端子に接続されている。また、トランジスタＴｒ２のゲートはトランジスタＴｒ１のソースに接続され、トランジスタＴｒ２のソースは電力入力部２１０Ｂの出力端子に接続され、トランジスタＴｒ２のドレインは充電回路２１３の入力端子に接続されている。
【００４０】
インバータ回路ＩＮＶは、その入力端子が、接続ラインＬ２１上における電力入力部２１０Ｂの出力端子とトランジスタＴｒ２のソースとの間に接続され、その出力端子が、電圧安定化回路２１２におけるイネーブル端子ＥＮに接続されている。このイネーブル端子ＥＮとは、電圧安定化回路２１２における動作（電圧安定化動作）の有効化および無効化を制御（切り替える）するための端子である。具体的には、このイネーブル端子ＥＮに対して「Ｈ（ハイ）」の論理信号が入力された場合には、電圧安定化回路２１２の動作が有効となり、入力された電力Ｐ１０に基づいて電力Ｐ１１が生成され、出力されるようになっている。一方、イネーブル端子ＥＮに対して「Ｌ（ロー）」の論理信号が入力された場合には、電圧安定化回路２１２の動作が無効（停止）となり、電力Ｐ１０が入力されても電力Ｐ１１が生成されないようになっている。このような論理にて電圧安定化回路２１２の動作を制御するため、ここでは上記のインバータ回路ＩＮＶにおいて論理信号の反転が行われるようになっている。
【００４１】
［給電システム４の作用・効果］
続いて、本実施の形態の給電システム４の作用および効果について説明する。
【００４２】
（１．全体動作の概要）
（磁界を用いた非接触による給電動作）
この給電システム４では、給電装置１内の交流信号発生回路１１１が、外部電源９から供給される電力に基づいて、送電部１１０内の送電コイルＬ１およびコンデンサＣ１ｐ，Ｃ１ｓ（ＬＣ共振回路）に対して、電力伝送を行うための所定の高周波電力（交流信号Ｓac）を供給する。これにより、送電部１１０内の送電コイルＬ１において磁界（磁束）が発生する。このとき、給電装置１の上面（給電面Ｓ１）に、給電対象機器（充電対象機器）としての電子機器２Ａ，２Ｂが置かれる（または近接する）と、給電装置１内の送電コイルＬ１と電子機器２Ａ，２Ｂ内の受電コイルＬ２とが、給電面Ｓ１付近にて近接する。
【００４３】
このように、磁界（磁束）を発生している送電コイルＬ１に近接して受電コイルＬ２が配置されると、送電コイルＬ１から発生されている磁束に誘起されて、受電コイルＬ２に起電力が生じる。換言すると、電磁誘導または磁気共鳴により、送電コイルＬ１および受電コイルＬ２のそれぞれに鎖交して磁界が発生する。これにより、送電コイルＬ１側（１次側、給電装置１側、送電部１１０側）から受電コイルＬ２側（２次側、電子機器２Ａ，２Ｂ側、受電部２１０Ａ側）に対して、電力伝送がなされる（図２，図３中の矢印で示した電力Ｐ１参照）。このとき、給電装置１側の送電コイルＬ１と電子機器２Ａ，２Ｂ側の受電コイルＬ２とが、電磁誘導等により互いに磁気結合し、前述したＬＣ共振回路においてＬＣ共振動作が行われる。
【００４４】
すると、電子機器２Ａ，２Ｂでは、受電コイルＬ２において受け取った交流電力（電力Ｐ１）が、整流回路２１１および電圧安定化回路２１２へ供給される。そして、後述する入力切替回路２１５を介して、この電力Ｐ１に基づく電力Ｐ３が充電回路２１３へ供給される場合、以下の充電動作がなされる。すなわち、電力Ｐ１が整流回路２１１および電圧安定化回路２１２によって所定の直流電力に変換されて電圧安定化がなされた後、充電回路２１３によって、上記電力Ｐ３に基づくバッテリー２１４への充電がなされる。このようにして、電子機器２Ａ，２Ｂにおいて、受電部２１０Ａにおいて受け取った電力Ｐ１に基づく充電動作がなされる。
【００４５】
すなわち、本実施の形態の給電システム４では、電子機器２Ａ，２Ｂの充電に際し、給電装置１の給電面Ｓ１上に置く（近接させる）だけで、容易に充電を開始させることができる（非接触給電がなされる）。これは、ユーザにおける負担軽減に繋がる。
【００４６】
（有線接続による給電動作）
この給電システム４ではまた、上記したような磁界を用いた非接触による給電動作に加え、有線式のコード（電源コード９０）を用いて、外部電源９０から有線接続による給電動作を行うことも可能である。つまり、給電装置１から磁界を用いた電力Ｐ１が電子機器２Ａ，２Ｂへと供給されるモード（非接触給電モード）と、外部電源９から有線接続による電力Ｐ２が電子機器２Ａ，２Ｂへと供給されるモード（有線給電モード）との２つの給電モードが存在する。
【００４７】
このような有線接続による給電動作（有線給電モード）の際には、図３に示したように、外部電源９から電源コード９０を介して電力入力部２１０Ｂへと電力Ｐ２が供給され、電力供給部２１０Ｂからこの電力Ｐ２に基づく電力Ｐ２１が、入力切替回路２１５へ供給される。そしてこの場合には、電力Ｐ２１が入力切替回路２１５から電力Ｐ３として出力され、充電回路２１３ではこの電力Ｐ３に基づいてバッテリー２１４への充電動作が行われる。
【００４８】
なお、このように、複数の電源インターフェース（Ｉ／Ｆ）を持つ（複数の電力入力経路が設けられた）給電システムは、従来の有線接続のみによる給電システムから磁界を用いた非接触のみによる給電システムへの過渡期（導入時期，黎明期）には、十分に想定される構成である。
【００４９】
（磁界を用いた非接触による通信動作）
また、この給電システム４では例えば図５に示したように、上記した磁界を用いた非接触による給電動作の際には、給電期間Ｔｐ（バッテリー２１４への充電期間）と通信期間Ｔｃ（非充電期間）とが、時分割で周期的（もしくは非周期的）になされる。換言すると、制御部１１２および制御部２１６は、このような給電期間Ｔｐと通信期間Ｔｃとが時分割で周期的（もしくは非周期的）に設定されるように制御する。ここで、この通信期間Ｔｃとは、１次側機器（給電装置１）と２次側機器（電子機器２Ａ，２Ｂ）との間で、送電コイルＬ１および受電コイルＬ２を用いた相互の通信動作（互いの機器間認証や給電効率制御等のための通信動作）を行う期間である（図２，図３中の矢印Ｃ１参照）。なお、このときの給電期間Ｔｐと通信期間Ｔｃとの時間の比率は、例えば、給電期間Ｔｐ：通信期間Ｔｃ＝９：１程度である。
【００５０】
ここで、この通信期間Ｔｃでは、例えば交流信号発生回路１１１におけるパルス幅変調を用いた通信動作が行われる。具体的には、所定の変調データに基づいて、通信期間Ｔｃにおける制御信号ＣＴＬのデューティ比が設定されることにより、パルス幅変調による通信がなされる。なお、前述した送電部１１０および受電部２１０Ａにおける共振動作時に周波数変調を行うことは原理的に難しいため、このようなパルス幅変調を用いることで簡易に通信動作が実現される。
【００５１】
（２．電力の入力切替動作）
また、本実施の形態の給電システム４では、電子機器２Ａ，２Ｂ内の入力切替回路２１５において、以下のようにして、電力の入力切替動作（電力の選択的出力動作）がなされる。なお、以下では説明するうえでの便宜上、トランジスタＴｒ１，Ｔｒ２をそれぞれ、切替スイッチの形状で図示するものとする。
【００５２】
（磁界を用いた電力Ｐ１のみが供給された場合）
まず、例えば図６に示したように、給電装置１から電子機器２Ａ，２Ｂに対して磁界を用いた電力Ｐ１のみが供給され、有線接続による電力Ｐ２は供給されない場合、入力切替回路２１５における入力切替動作は、以下のようになる。
【００５３】
すなわち、この場合、電力入力部２１０Ｂから電力Ｐ２１は出力されないことから、インバータ回路ＩＮＶへの入力信号は「Ｌ」信号、出力信号は「Ｈ」信号となる。したがって、この場合には電圧安定化回路２１２のイネーブル端子ＥＮに対して「Ｈ」信号が入力され、この電圧安定化回路２１２の動作が有効となるため、入力された電力Ｐ１０に基づいて電力Ｐ１１が生成され、入力切替回路２１５へと出力される。
【００５４】
また、上記したように、この場合には電力入力部２１０Ｂからの接続ラインＬ２１上は「Ｌ」信号となっていることから、この「Ｌ」信号がゲートに供給されるＰ型のトランジスタＴｒ１はオン状態となる。一方、電力Ｐ１１が出力される電圧安定化回路２１２からの接続ラインＬ１１上は「Ｈ」信号となるため、この「Ｈ」信号がゲートに供給されるＰ型のトランジスタＴｒ２はオフ状態となる。
【００５５】
このようにして、磁界を用いた電力Ｐ１のみが供給される場合には、入力切替回路２１５において、トランジスタＴｒ１がオン状態となるとともにトランジスタＴｒ２がオフ状態となるため、電力Ｐ１に基づく電力Ｐ１１が、電力Ｐ３として選択的に出力される。したがって、この場合には、磁界を用いた電力Ｐ１に基づいて、バッテリー２１４への充電動作がなされる。
【００５６】
（有線接続による電力Ｐ２のみが供給された場合）
一方、例えば図７に示したように、給電装置１から電子機器２Ａ，２Ｂに対して有線接続による電力Ｐ２のみが供給され、磁界を用いた電力Ｐ１は供給されない場合、入力切替回路２１５における入力切替動作は、以下のようになる。
【００５７】
すなわち、この場合には、電力入力部２１０Ｂから電力Ｐ２１が出力されることから、インバータ回路ＩＮＶへの入力信号は「Ｈ」信号、出力信号は「Ｌ」信号となる。したがって、この場合には電圧安定化回路２１２のイネーブル端子ＥＮに対して「Ｌ」信号が入力され、この電圧安定化回路２１２の動作が無効（停止）となるため、電力Ｐ１１が生成されず、入力切替回路２１５へと出力されない。
【００５８】
また、上記したように、この場合には電力入力部２１０Ｂからの接続ラインＬ２１上は「Ｈ」信号となっていることから、この「Ｈ」信号がゲートに供給されるＰ型のトランジスタＴｒ１はオフ状態となる。一方、電力Ｐ１１が出力されない電圧安定化回路２１２からの接続ラインＬ１１上は「Ｌ」信号となるため、この「Ｌ」信号がゲートに供給されるＰ型のトランジスタＴｒ２はオン状態となる。
【００５９】
このようにして、有線接続による電力Ｐ２のみが供給される場合には、入力切替回路２１５において、トランジスタＴｒ１がオフ状態となるとともにトランジスタＴｒ２がオン状態となるため、電力Ｐ２に基づく電力Ｐ２１が、電力Ｐ３として選択的に出力される。したがって、この場合には、有線接続による電力Ｐ２に基づいて、バッテリー２１４への充電動作がなされる。
【００６０】
（電力Ｐ１，Ｐ２の双方が供給された場合）
他方、例えば図８に示したように、給電装置１から電子機器２Ａ，２Ｂに対して、磁界を用いた電力Ｐ１と有線接続による電力Ｐ２との双方が供給された場合、入力切替回路２１５における入力切替動作は、以下のようになる。
【００６１】
すなわち、この場合も上記した電力Ｐ２のみが供給された場合と同様に、電力入力部２１０Ｂから電力Ｐ２１が出力されることから、インバータ回路ＩＮＶへの入力信号は「Ｈ」信号、出力信号は「Ｌ」信号となる。したがって、この場合にも電圧安定化回路２１２のイネーブル端子ＥＮに対して「Ｌ」信号が入力され、この電圧安定化回路２１２の動作が無効となる。したがって、この場合には、電力Ｐ１に基づく電力Ｐ１０が電圧安定化回路２１２へと供給されるものの、電力Ｐ１１が生成されず、入力切替回路２１５へと出力されない。
【００６２】
また、この場合においても、電力入力部２１０Ｂからの接続ラインＬ２１上は「Ｈ」信号となっていることから、この「Ｈ」信号がゲートに供給されるＰ型のトランジスタＴｒ１はオフ状態となる。同様に、電力Ｐ１１が出力されない電圧安定化回路２１２からの接続ラインＬ１１上は「Ｌ」信号となるため、この「Ｌ」信号がゲートに供給されるＰ型のトランジスタＴｒ２はオン状態となる。
【００６３】
このようにして、磁界を用いた電力Ｐ１と有線接続による電力Ｐ２との双方が供給される場合にも、入力切替回路２１５において、トランジスタＴｒ１がオフ状態となるとともにトランジスタＴｒ２がオン状態となるため、電力Ｐ２に基づく電力Ｐ２１が、電力Ｐ３として選択的に出力される。したがって、この場合にも、有線接続による電力Ｐ２に基づいて、バッテリー２１４への充電動作がなされる。
【００６４】
すなわち、本実施の形態では特に、電力Ｐ１，Ｐ２の双方が電子機器２Ａ，２Ｂへ供給された場合には、入力切替回路２１５では、有線接続による電力Ｐ２が優先的に選択されて出力される。このように、磁界を用いた電力Ｐ１と有線接続による電力Ｐ２とのうち、有線接続による電力Ｐを優先的に入力して充電動作に用いるようにしているのは、充電の際の電力効率および電力量等が、電力Ｐ２を利用した場合のほうが優れている傾向にあるためである。
【００６５】
また、本実施の形態では、上記した図７および図８の場合のように、前述した給電装置１と電子機器２Ａ，２Ｂとの間での通信動作（通信期間Ｔｃ）が、以下のように設定されているのが望ましい。すなわち、磁界を用いた電力Ｐ１が少なくとも供給される場合だけでなく、有線接続による電力Ｐ２のみが供給される場合においても、そのような通信動作が行われるようにするのが望ましい。これは、磁界を用いた電力Ｐ１に基づく充電動作を行っていない場合においても、例えばその後に電源コード９０が抜かれて有線接続による電力Ｐ２に基づく充電動作が停止してしまった場合などに、通信動作を継続させていないと、そのことを検知できなくなってしまうためである。そのようにして充電動作の停止を検知できなくなると、結局のところ充電動作の復旧（再開）ができなくなり、ユーザの利便性が損なわれてしまうことになる。
【００６６】
以上のように本実施の形態では、給電装置１からの磁界を用いた送電による電力Ｐ１と、外部電源９からの有線接続による電力Ｐ２とのうちのいずれか一方を入力切替回路２１５から出力し、この出力された電力Ｐ３に基づいてバッテリー２１４への充電が行われるようにしたので、そのような電力Ｐ１，Ｐ２のうちの一方を選択的に利用した、自由度の高い充電動作を実現することができる。よって、給電動作を行う際に、ユーザの利便性を向上させることが可能となる。
【００６７】
＜変形例＞
続いて、上記実施の形態の変形例（変形例１，２）について説明する。なお、実施の形態における構成要素と同一のものには同一の符号を付し、適宜説明を省略する。
【００６８】
［変形例１］
図９は、変形例１に係る給電システム（給電システム４Ａ）の構成および入力切替動作の一例を表したものである。この給電システム４Ａは、上記実施の形態の給電システム４において、電子機器２Ａ，２Ｂの代わりに電子機器２Ｃ，２Ｄを設けたものに対応しており、他の構成は同様となっている。
【００６９】
電子機器２Ｃ，２Ｄはそれぞれ、電子機器２Ａ，２Ｂにおいて、入力切替回路２１５の代わりに以下説明する入力切替回路２１５Ａを設けたものとなっており、他の構成は同様となっている。
【００７０】
この入力切替回路２１５Ａは、例えば図９に示したように、スイッチング素子としての２つのトランジスタＴｒ１，Ｔｒ２を含んで構成されている。そして、入力切替回路２１５Ａでは入力切替回路２１５と同様に、磁界を用いた送電による電力Ｐ１と、有線接続により供給された電力Ｐ２とのうちのいずれか一方を出力する。また、これら電力Ｐ１，Ｐ２の双方が電子機器２Ａ，２Ｂへ供給された場合には、電力Ｐ１，Ｐ２のうちの一方を選択して出力する。
【００７１】
ただし、この入力切替回路２１５Ａでは入力切替回路２１５とは異なり、例えば図９に示したように、電力Ｐ１，Ｐ２の双方が電子機器２Ａ，２Ｂへ供給された場合には、磁界を用いた送電による電力Ｐ１を優先的に選択し、電力Ｐ３として出力する。具体的には、本変形例ではこの場合、トランジスタＴｒ１がオン状態となるとともに、トランジスタＴｒ２がオフ状態となる。
【００７２】
このように、場合によっては、有線接続による電力Ｐ２ではなく、磁界を用いた送電による電力Ｐ１を優先的に選択して出力するようにしてもよい。
【００７３】
［変形例２］
図１０および図１１はそれぞれ、変形例２に係る給電システム（給電システム４Ｂ）の構成および入力切替動作例を表したものである。この給電システム４Ｂは、上記実施の形態の給電システム４において、電子機器２Ａ，２Ｂの代わりに電子機器２Ｅ，２Ｆを設けたものに対応しており、他の構成は同様となっている。
【００７４】
電子機器２Ｅ，２Ｆはそれぞれ、電子機器２Ａ，２Ｂにおいて、入力切替回路２１５の代わりに以下説明する入力切替回路２１５Ｂを設けると共に、制御部２１６において、この入力切替回路２１５Ｂの動作（入力切替動作）を動的に制御するようにしたものである。
【００７５】
入力切替回路２１５Ｂは、図１０および図１１に示したように、スイッチング素子としての２つのトランジスタＴｒ１，Ｔｒ２を含んで構成されている。ただし、この入力切替回路２１５Ｂでは、これまで説明した入力切替回路２１５，２１５Ａとは異なり、自身の回路内だけで入力切替動作が実現されるのではなく、制御部２１６によって、トランジスタＴｒ１，Ｔｒ２のオン・オフ動作（入力切替動作）が制御される。
【００７６】
つまり、本変形例の制御部２１６（切替制御部）では、上記したように、入力切替回路２１５Ｂにおける入力切替動作を動的に制御する機能も有している。具体的には、この制御部２１６は、入力切替回路２１５Ｂに対して電力Ｐ１，Ｐ２の双方が供給された場合には、所定のパラメータに基づいて、これら電力Ｐ１，Ｐ２のうちの一方が選択されて出力されるように、入力切替動作を制御する。
【００７７】
なお、受電部２１０Ａおよび電力入力部２１０Ｂに対して、それぞれ電力Ｐ１，Ｐ２が供給されているのか否かの情報は、例えば、これら受電部２１０Ａおよび電力入力部２１０Ｂから制御部２１６に対して随時供給されるようになっている。また、上記した所定のパラメータとしては、例えば、前述した充電の際の電力効率や電力量等のパラメータなどが挙げられる。ただし、例えば、ユーザによる手動操作（スイッチを押すこと等）により得られた情報を基に、制御部２１６において入力切替動作の制御を行うようにしてもよい。
【００７８】
ここで、このような入力切替動作の制御としては、例えば図１０に示したように、制御部２１６が、入力切替回路２１５Ｂ内のトランジスタＴｒ１をオフ状態に設定するとともに、トランジスタＴｒ２をオン状態に設定する場合が挙げられる。これにより、磁界を用いた電力Ｐ１と有線接続による電力Ｐ２との双方が供給された場合に、電力Ｐ２に基づく電力Ｐ２１が、電力Ｐ３として優先的に選択的されて出力される。したがってこの場合、有線接続による電力Ｐ２に基づいて、バッテリー２１４への充電動作がなされる。
【００７９】
あるいは、例えば図１１に示したように、制御部２１６が、入力切替回路２１５Ｂ内のトランジスタＴｒ１をオン状態に設定するとともに、トランジスタＴｒ２をオフ状態に設定する場合が挙げられる。これにより、磁界を用いた電力Ｐ１と有線接続による電力Ｐ２との双方が供給された場合に、電力Ｐ１に基づく電力Ｐ１１が、電力Ｐ３として優先的に選択的されて出力される。したがってこの場合、磁界を用いた送電による電力Ｐ１に基づいて、バッテリー２１４への充電動作がなされる。
【００８０】
＜その他の変形例＞
以上、実施の形態および変形例を挙げて本開示の技術を説明したが、本技術はこれらの実施の形態等に限定されず、種々の変形が可能である。
【００８１】
例えば、上記実施の形態等では各種のコイル（送電コイル，受電コイル）を挙げて説明しているが、これらのコイルの構成（形状）としては種々のものを用いることが可能である。すなわち、例えばスパイラル形状やループ形状、磁性体を用いたバー形状、スパイラルコイルを２層で折り返すように配置するα巻き形状、更なる多層のスパイラル形状、厚み方向に巻線が巻回しているヘリカル形状などによって、各コイルを構成することが可能である。また、各コイルは、導電性を有する線材により構成された巻き線コイルだけではなく、プリント基板やフレキシブルプリント基板などにより構成された、導電性を有するパターンコイルであってもよい。
【００８２】
また、上記実施の形態等では、給電対象機器の一例として電子機器を挙げて説明したが、これには限られず、電子機器以外の給電対象機器（例えば、電気自動車等の車両など）であってもよい。
【００８３】
更に、上記実施の形態等では、給電装置および電子機器の各構成要素を具体的に挙げて説明したが、全ての構成要素を備える必要はなく、また、他の構成要素を更に備えていてもよい。例えば、給電装置や電子機器内に、通信機能や何かしらの制御機能、表示機能、２次側機器を認証する機能、異種金属などの混入を検知する機能などを搭載するようにしてもよい。また、入力切替回路（切替部）の構成（回路構成）は、上記実施の形態等で説明したものには限られず、他の構成としてもよい。例えば、上記実施の形態等で説明した入力切替回路内には、電流の逆流を防止するための回路（逆流防止回路）が設けられていないが、実際にはそのような逆流防止回路を設けるようにするのが望ましいと言える。
【００８４】
加えて、上記実施の形態等では、主に、給電システム内に複数（２つ）の電子機器が設けられている場合を例に挙げて説明したが、この場合には限られず、給電システム内に１つの電子機器のみが設けられているようにしてもよい。
【００８５】
また、上記実施の形態等では、給電装置の一例として、携帯電話機等の小型の電子機器（ＣＥ機器）向けの充電トレーを挙げて説明したが、給電装置としてはそのような家庭用の充電トレーには限定されず、様々な電子機器等の充電器として適用可能である。また、必ずしもトレーである必要はなく、例えば、いわゆるクレードル等の電子機器用のスタンドであってもよい。
【００８６】
（電界を用いて非接触に電力伝送を行う給電システムの例）
また、上記実施の形態等では、１次側機器としての給電装置から２次側機器としての電子機器に対して、磁界を用いて非接触に電力伝送（給電）を行う給電システムの場合を例に挙げて説明したが、これには限られない。すなわち、本開示内容は、１次側機器としての給電装置から２次側機器としての電子機器に対して、電界（電界結合）を用いて非接触に電力伝送を行う給電システムにおいても適用することが可能であり、上記実施の形態等と同様の効果を得ることが可能である。
【００８７】
具体的には、例えば図１２に示した給電システムは、１つの給電装置８１（１次側機器）と、１つの電子機器８２（２次側機器）とを備えている。給電装置８１は、主に、送電電極Ｅ１（１次側電極）を含む送電部８１０と、交流信号源８１１（発振器）と、接地電極Ｅｇ１とを有している。電子機器８２は、主に、受電電極Ｅ２（２次側電極）を含む受電部８２０と、整流回路８２１と、負荷８２２と、接地電極Ｅｇ２とを有している。すなわち、この給電システムは、送電電極Ｅ１および受電電極Ｅ２と、接地電極Ｅｇ１，Ｅｇ２との２組の電極を備えている。換言すると、給電装置８１（１次側機器）および電子機器８２（２次側機器）はそれぞれ、モノポールアンテナのような非対称性の一対の電極構造からなるアンテナを、機器内部に有している。
【００８８】
このような構成の給電システムでは、送電電極Ｅ１と受電電極Ｅ２とが互いに対向すると、上記した非接触性のアンテナ同士が、互いに結合する（電極の垂直方向に沿って互いに電界結合する）。すると、これらの間に誘導電界が発生し、これにより電界を用いた電力伝送が行われる（図１２中に示した電力Ｐ８参照）。具体的には、例えば図１３に模式的に示したように、送電電極Ｅ１側から受電電極Ｅ２側へと向かって、発生した電界（誘導電界Ｅｉ）が伝播すると共に、接地電極Ｅｇ２側から接地電極Ｅｇ１側へと向かって、発生した誘導電界Ｅｉが伝播する。すなわち、１次側機器と２次側機器との間で、発生した誘導電界Ｅｉのループ経路が形成されることになる。このような電界を用いた非接触による電力供給システムにおいても、上記実施の形態等と同様の手法を適用することにより、同様の効果を得ることが可能である。
【００８９】
なお、本技術は以下のような構成を取ることも可能である。
（１）
給電装置から磁界または電界を用いた送電による第１の電力を受け取る受電部と、
外部電源から有線接続により供給される第２の電力を入力する電力入力部と、
前記受電部から供給される第１の電力と、前記電力入力部から供給される第２の電力とのうちのいずれか一方を出力する切替部と、
前記切替部から出力された電力に基づく充電が行われる２次電池と
を備えた電子機器。
（２）
前記切替部は、
前記第１の電力のみが供給された場合には、この第１の電力を出力し、
前記第２の電力のみが供給された場合には、この第２の電力を出力し、
前記第１および第２の電力の双方が供給された場合には、これら第１および第２の電力のうちの一方を選択して出力する
上記（１）に記載の電子機器。
（３）
前記切替部は、前記第１および第２の電力の双方が供給された場合には、第２の電力を優先的に選択して出力する
上記（２）に記載の電子機器。
（４）
前記切替部から出力された電力に基づいて、前記２次電池への充電を行う充電部と、
前記受電部と前記切替部との間に配設された電源回路と
を備えた上記（３）に記載の電子機器。
（５）
前記切替部は、少なくとも前記第２の電力が供給された場合には、前記電源回路の動作を無効化する
上記（４）に記載の電子機器。
（６）
前記切替部は、前記第１および第２の電力の双方が供給された場合には、第１の電力を優先的に選択して出力する
上記（２）に記載の電子機器。
（７）
前記切替部の動作を動的に制御する切替制御部を備えた
上記（１）ないし（６）のいずれかに記載の電子機器。
（８）
前記切替制御部は、
前記切替部に対して前記第１および第２の電力の双方が供給された場合には、
所定のパラメータに基づいて、前記第１および第２の電力のうちの一方が選択されて出力されるように、前記切替部の動作を制御する
上記（７）に記載の電子機器。
（９）
前記給電装置との間での通信動作が、前記第１の電力が供給される場合に加えて、前記第２の電力のみが供給される場合においても行われる
上記（１）ないし（８）のいずれかに記載の電子機器。
（１０）
１または複数の電子機器と、
前記電子機器に対して磁界または電界を用いた送電を行う給電装置と
を備え、
前記電子機器は、
前記送電による第１の電力を受け取る受電部と、
外部電源から有線接続により供給される第２の電力を入力する電力入力部と、
前記受電部から供給される第１の電力と、前記電力入力部から供給される第２の電力とのうちのいずれか一方を出力する切替部と、
前記切替部から出力された電力に基づく充電が行われる２次電池と
を有する給電システム。
【符号の説明】
【００９０】
１，８１…給電装置（１次側機器）、１１…送電装置、１１０，８１０…送電部、１１１…交流信号発生回路、１１２…制御部、２Ａ〜２Ｆ，８２…電子機器（２次側機器）、２１…受電装置、２１０Ａ，８２０…受電部、２１０Ｂ…電力入力部、２１１…整流回路、２１２…電圧安定化回路、２１３…充電回路、２１４…バッテリー、２１５，２１５Ａ，２１５Ｂ…入力切替回路、２１６…制御部、２２…負荷、４，４Ａ，４Ｂ…給電システム、８１１…交流信号源、８２１…整流回路、８２２…負荷、９…外部電源、９０…電源コード、Ｓ１…送電面、Ｐ１，Ｐ２，Ｐ１０，Ｐ１１，Ｐ２１，Ｐ３…電力、Ｌ１…送電コイル、Ｌ２…受電コイル、Ｌ１１，Ｌ２１…接続ライン、Ｅ１…送電電極（１次側電極）、Ｅ２…受電電極（２次側電極）、Ｃ１ｐ，Ｃ１ｓ，Ｃ２ｐ，Ｃ２ｓ…コンデンサ、Ｅｇ１，Ｅｇ２…接地電極、Ｄ１〜Ｄ４…整流素子、Ｔｒ１，Ｔｒ２…トランジスタ、ＩＮＶ…インバータ回路、ＥＮ…イネーブル端子、Ｓdc…直流信号、Ｓac…交流信号、ＣＴＬ…制御信号、Ｔｐ…給電期間、Ｔｃ…通信期間。
【図１】
0006047911.tif 000002
【図２】
0006047911.tif 000003
【図３】
0006047911.tif 000004
【図４】
0006047911.tif 000005
【図５】
0006047911.tif 000006
【図６】
0006047911.tif 000007
【図７】
0006047911.tif 000008
【図８】
0006047911.tif 000009
【図９】
0006047911.tif 000010
【図１０】
0006047911.tif 000011
【図１１】
0006047911.tif 000012
【図１２】
0006047911.tif 000013
【図１３】
0006047911.tif 000014